【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
記憶部を備え、工事の設計書ファイルに基づいて該工事の積算書ファイルを作成する積算書作成装置であって、
設計書ファイルから各頁の線の位置情報とテキストデータと該テキストデータの位置情報とを抽出して頁識別情報と共に前記記憶部に記憶することにより、抽出データを作成する抽出データ作成手段と、
入力された発注者識別情報に基づいて特定される発注者の積算書テンプレートファイルを、前記記憶部に記憶されている積算書テンプレートファイル群から読み出すか、または、前記記憶部に記憶されている標準テンプレートファイルから作成して、該積算書テンプレートファイルに前記抽出データから読み出したテキストデータを埋め込むことにより、積算書ファイルを作成する積算書ファイル作成手段であって、前記読み出したテキストデータが存在する頁の線の位置情報と該テキストデータの位置情報とに基づいて、前記積算書テンプレートファイルにおける該テキストデータを埋め込むべき箇所を決定する積算書ファイル作成手段と、
を有することを特徴とする積算書作成装置。
【請求項２】
前記記憶部には、歩掛データが格納された積算基準データベースと、単価データが格納された単価データベースとが記憶され、
前記積算書ファイル内の見積り額を算出すべき最小単位となる項目について、入力された条件に基づいて、前記積算基準データベースと前記単価データベースとを参照して見積り額を算出し、前記積算書ファイルに見積り額を書き込む見積り額算出手段を有することを特徴とする請求項１記載の積算書装置。
【請求項３】
前記見積り額算出手段が、前記積算基準データベース内の、ユーザによって指定されたデータ群を参照することにより、前記項目に対して入力可能な条件を表示するとともに、入力された条件に基づいて見積り額を算出するように構成され、
前記項目について見積り額を算出するために前記見積り額算出手段が参照した前記データ群の識別情報を、該項目のキーワードと対応付けて、前記記憶部内に設けられた履歴データベースに格納する履歴取得手段と、
指定された前記項目について、該項目のキーワードを用いて前記履歴データベースを検索し、取得した前記データ群の識別情報に基づいて、前記データ群を示す情報を表示する履歴表示手段と、
を有することを特徴とする請求項２記載の積算書作成装置。
【請求項４】
記憶部を備えたコンピュータに、工事の設計書ファイルに基づいて該工事の積算書ファイルを作成させるための積算書作成プログラムであって、
前記コンピュータに、
設計書ファイルから各頁の線の位置情報とテキストデータと該テキストデータの位置情報とを抽出して頁識別情報と共に前記記憶部に記憶することにより、抽出データを作成する抽出データ作成機能と、
入力された発注者識別情報に基づいて特定される発注者の積算書テンプレートファイルを、前記記憶部若しくは前記コンピュータに接続された他のコンピュータが備える記憶部（以下、「他の記憶部」と言う。）に記憶された積算書テンプレートファイル群から読み込むか、または、前記記憶部若しくは他の記憶部に記憶された標準テンプレートファイルから作成して、該積算書テンプレートファイルに前記抽出データから読み出したテキストデータを埋め込むことにより、積算書ファイルを作成する積算書ファイル作成機能であって、前記読み出したテキストデータが存在する頁の線の位置情報と該テキストデータの位置情報とに基づいて、前記積算書テンプレートファイルにおける該テキストデータを埋め込むべき箇所を決定する積算書ファイル作成機能と、
を実現させるための積算書作成プログラム。
【請求項５】
前記コンピュータに、
前記積算書ファイル内の見積り額を算出すべき最小単位となる項目について、入力された条件に基づいて、前記記憶部又は他の記憶部に記憶され歩掛データが格納された積算基準データベースと、前記記憶部又は他の記憶部に記憶され単価データが格納された単価データベースとを参照して見積り額を算出し、前記積算書ファイルに見積り額を書き込む見積り額算出機能
を実現させるための請求項４記載の積算書作成プログラム。
【請求項６】
前記コンピュータに、
前記積算基準データベース内の、ユーザによって指定されたデータ群を参照することにより、前記項目に対して入力可能な条件を表示するとともに、入力された条件に基づいて見積り額を算出する前記見積り額算出機能と、
前記項目について見積り額を算出するために参照した前記データ群の識別情報を、該項目のキーワードと対応付けて、前記記憶部又は他の記憶部に設けられた履歴データベースに格納する履歴取得機能と、
指定された前記項目について、該項目のキーワードを用いて前記履歴データベースを検索し、取得した前記データ群の識別情報に基づいて、前記データ群を示す情報を表示する履歴表示機能と、
を実現させるための請求項５記載の積算書作成プログラム。
【手続補正２】
【補正対象書類名】明細書
【補正対象項目名】０００６
【補正方法】変更
【補正の内容】
【０００６】
本発明の積算書作成装置は、記憶部を備え、工事の設計書ファイルに基づいて該工事の積算書ファイルを作成する積算書作成装置であって、設計書ファイルから各頁の線の位置情報とテキストデータと該テキストデータの位置情報とを抽出して頁識別情報と共に前記記憶部に記憶することにより、抽出データを作成する抽出データ作成手段と、入力された発注者識別情報に基づいて特定される発注者の積算書テンプレートファイルを、前記記憶部に記憶されている積算書テンプレートファイル群から読み出すか、または、前記記憶部に記憶されている標準テンプレートファイルから作成して、該積算書テンプレートファイルに前記抽出データから読み出したテキストデータを埋め込むことにより、積算書ファイルを作成する積算書ファイル作成手段であって、前記読み出したテキストデータが存在する頁の線の位置情報と該テキストデータの位置情報とに基づいて、前記積算書テンプレートファイルにおける該テキストデータを埋め込むべき箇所を決定する積算書ファイル作成手段と、を有することを特徴とする。
ここで、本発明の積算書作成装置において、前記記憶部には、歩掛データが格納された積算基準データベースと、単価データが格納された単価データベースとが記憶され、前記積算書ファイル内の見積り額を算出すべき最小単位となる項目について、入力された条件に基づいて、前記積算基準データベースと前記単価データベースとを参照して見積り額を算出し、前記積算書ファイルに見積り額を書き込む見積り額算出手段を有することとしてもよい。
【手続補正３】
【補正対象書類名】明細書
【補正対象項目名】０００８
【補正方法】変更
【補正の内容】
【０００８】
本発明の積算書作成プログラムは、記憶部を備えたコンピュータに、工事の設計書ファイルに基づいて該工事の積算書ファイルを作成させるための積算書作成プログラムであって、前記コンピュータに、設計書ファイルから各頁の線の位置情報とテキストデータと該テキストデータの位置情報とを抽出して頁識別情報と共に前記記憶部に記憶することにより、抽出データを作成する抽出データ作成機能と、入力された発注者識別情報に基づいて特定される発注者の積算書テンプレートファイルを、前記記憶部若しくは前記コンピュータに接続された他のコンピュータが備える記憶部（以下、「他の記憶部」と言う。）に記憶された積算書テンプレートファイル群から読み込むか、または、前記記憶部若しくは他の記憶部に記憶された標準テンプレートファイルから作成して、該積算書テンプレートファイルに前記抽出データから読み出したテキストデータを埋め込むことにより、積算書ファイルを作成する積算書ファイル作成機能であって、前記読み出したテキストデータが存在する頁の線の位置情報と該テキストデータの位置情報とに基づいて、前記積算書テンプレートファイルにおける該テキストデータを埋め込むべき箇所を決定する積算書ファイル作成機能と、を実現させるためのものである。
ここで、本発明のプログラムを、前記コンピュータに、前記積算書ファイル内の見積り額を算出すべき最小単位となる項目について、入力された条件に基づいて、前記記憶部又は他の記憶部に記憶され歩掛データが格納された積算基準データベースと、前記記憶部又は他の記憶部に記憶され単価データが格納された単価データベースとを参照して見積り額を算出し、前記積算書ファイルに見積り額を書き込む見積り額算出機能を実現させるためのものとしてもよい。
【手続補正４】
【補正対象書類名】明細書
【補正対象項目名】００２０
【補正方法】変更
【補正の内容】
【００２０】
単価ＤＢ２４は、労務単価、資材単価等を示す単価データを格納したものである。単価ＤＢ２４には、図４に示すような単価テーブルが格納されており、単価テーブルには、単価コードと名称と単位と単価とが格納されている。例えば、名称「軽油ドラム」の単価コードは2であり、単位はｌ（リットル）であり、単価は71（円）である。